(57)【要約】【課題】基準流量に対して、節水流量となるように流量を変動させることで、使用性を維持しつつ、節水と省エネルギーとを実現した給湯機を提供すること。【解決手段】お湯を出湯部へ供給する給湯管路４０と、前記給湯管路４０に設けられ流量を調整する流量調整手段４４と、基準流量を設定する基準流量設定手段４６と、前記基準流量よりも少ない節水流量を設定する節水流量設定手段４７と、制御手段２３とを備え、前記給湯管路４０を流れる湯水の流量が前記節水流量となるように、前記給湯管路４０を流れる湯水の流量を、前記流量調整手段４４により変動させる構成としたことを特徴とする給湯機。【選択図】図１
2011202816.tif 000002
【特許請求の範囲】
【請求項１】
お湯を出湯部へ供給する給湯管路と、前記給湯管路に設けられ流量を調整する流量調整手段と、基準流量を設定する基準流量設定手段と、前記基準流量よりも少ない節水流量を設定する節水流量設定手段と、制御手段とを備え、前記給湯管路を流れる湯水の流量が前記節水流量となるように、前記給湯管路を流れる湯水の流量を、前記流量調整手段により変動させる構成としたことを特徴とする給湯機。
【請求項２】
周期的に変動させる最大の流量は、略基準流量か、基準流量以上とすることを特徴とする請求項１に記載の給湯機。
【請求項３】
基準流量を、出湯時から所定時間経過した後に設定することを特徴とする請求項１または２に記載の給湯機。
【請求項４】
節水流量を、所定の節水率と基準流量とから設定することを特徴とする請求項１〜３のいずれかに１項に記載の給湯機。
【請求項５】
基準流量に対する節水流量の比率を節水率とし、前記節水率を複数選択できる構成としたことを特徴とする請求項１〜４のいずれかに１項に記載の給湯機。
【請求項６】
基準流量に対する節水流量の比率を節水率とし、前記節水率の小さい場合は大きい場合に比べて、流量の変化の振幅及び周波数が小さいことを特徴とする請求項１〜５のいずれかに１項に記載の給湯機。
【請求項７】
流量変動の周波数を、１〜３Ｈｚとすることを特徴とする請求項１〜６のいずれか１項に記載の給湯機。
【請求項８】
節水率選択手段をリモコンに設けたことを特徴とする請求項５に記載の給湯機。
【発明の詳細な説明】
【技術分野】
【０００１】
本発明は、ガスや石油や電気を熱源とする給湯機や、大気熱と電気を熱源とするヒートポンプ給湯機などの給湯機に関するものである。
【背景技術】
【０００２】
従来、この種の給湯機のシャワー装置は、シャワー給湯使用時に検出したシャワー流量が、予め入力設定したシャワー流量の目標値以下の流量である場合に、リモコンに表示または音声で省エネ使用量であることを報知することで、シャワー使用量が省エネ使用量かどうかをシャワー利用者にしらせることができるようにしている（例えば、特許文献１参照）。
【０００３】
図１０は、従来のシャワー使用時のシャワーヘッド４５からの湯の出方を示したものである。同図の左図はシャワーヘッド１を穴が見える側から見た図である。湯が出る穴（たとえば４５ａ、４５ｂなど）が開けられている。同図の右図はシャワーヘッドから出た湯が体などに当たるまでの軌跡の一部と当たる場所を示したものである。
【０００４】
上記左図穴４５ａ、４５ｂからで出た湯は右図点Ａ、点Ｂに当たる。その他から出た湯も同様に右図に対応した点に当たることになり、図１０で示した場合には、同図のように２つの同心円上に多数の点が並ぶことになる。
【先行技術文献】
【特許文献】
【０００５】
【特許文献１】特開２００９−２４９１３号公報
【発明の概要】
【発明が解決しようとする課題】
【０００６】
しかしながら、前記従来の構成では、シャワー給湯流量の目標値は、シャワー利用者が通常使用するシャワー流量（利用者の好みの流量）以下の流量に単に設定されるはずだから、目標とするシャワー流量は利用者の好みの流量よりも少なくなるので、シャワー使用者は我慢して使用することになる。
【０００７】
また、シャワーヘッドを固定して使用すると、シャワーヘッドから出た湯が体に当たる位置は固定されるので、人の触覚に対しては受動的な刺激となるため、順応により刺激の強度が弱く感じてくる。そのため、シャワー感に対して物足りなく感じるようになるという快適性の課題を有していた。
【０００８】
また、単にシャワー流量を下げるだけでは、体や頭髪を洗った後の石鹸やシャンプーを十分すすぎ流せるとは限らない。通常、シャワー流量が小さくなると、すすぎの性能が落ちるので、すすぎ性能が悪くなるという課題を有していた。
【０００９】
さらに、すすぎ性能が悪くなった分、シャワーで石鹸やシャンプーをすすぎ流す時間が長くなり、結果として、１回のシャワーで使用する使用量が減少しない場合や、時には、逆に使用量が増加してしまうこと場合があり、省エネ性や節水効果に課題を有していた。
【００１０】
本発明は、前記従来の課題を解決するもので、基準流量に対して、節水流量となるように流量を変動させることで、使用性を維持しつつ、節水と省エネルギーとを実現した給湯機を提供することを目的とする。
【課題を解決するための手段】
【００１１】
前記従来の課題を解決するために、本発明の給湯機は、お湯を出湯部へ供給する給湯管路と、前記給湯管路に設けられ流量を調整する流量調整手段と、基準流量を設定する基準流量設定手段と、前記基準流量よりも少ない節水流量を設定する節水流量設定手段と、制御手段とを備え、前記給湯管路を流れる湯水の流量が前記節水流量となるように、前記給湯管路を流れる湯水の流量を、前記流量調整手段により変動させる構成としたことを特徴とするものである。
【００１２】
これによって、出湯部であるシャワーヘッドから出た湯が体に当たる位置は常に変化し、人の触覚に対しては能動的な刺激となり、さらに、湯が当たる面積も増えるので、基準流量よりも少ない節水流量でも、快適性とすすぎ性を維持しつつ、節水と省エネルギーを実現することができる。
【発明の効果】
【００１３】
本発明によれば、基準流量に対して、節水流量となるように流量を変動させることで、使用性を維持しつつ、節水と省エネルギーとを実現した給湯機を提供できる。
【図面の簡単な説明】
【００１４】
【図１】本発明の実施の形態１における給湯機のシャワー装置の構成図
【図２】同形態における経過時間に対する流量変化を示す特性図
【図３】同形態におけるシャワーヘッドから出た湯の体に当たる場所の説明図
【図４】同形態における他のシャワー装置の構成図
【図５】同形態における他のシャワー装置の経過時間に対する流量変化を示す特性図
【図６】同形態における振幅と周波数に対するシャワー感を説明する説明図
【図７】同形態における官能評価試験結果を示す特性図
【図８】同形態における節水率に対する流量変化特性の違いを説明した説明図
【図９】本発明の実施の形態２におけるシャワー装置を備えた給湯機の構成図
【図１０】従来例におけるシャワーヘッドから出た湯の体に当たる場所の説明図
【発明を実施するための形態】
【００１５】
第１の発明は、お湯を出湯部へ供給する給湯管路と、前記給湯管路に設けられ流量を調整する流量調整手段と、基準流量を設定する基準流量設定手段と、前記基準流量よりも少ない節水流量を設定する節水流量設定手段と、制御手段とを備え、前記給湯管路を流れる湯水の流量が前記節水流量となるように、前記給湯管路を流れる湯水の流量を、前記流量調整手段により変動させる構成としたことを特徴とする給湯機で、通常使用する基準流量よりも少ない流量であっても、シャワー等の出湯部から出湯されるお湯が当たる位置が周期的に変化するので、すすぎ性能や使用感を落とさず節水効果があり、節水になる分だけ湯を沸かす必要がなくエネルギー削減になるので、省エネルギーを図ることができる。
【００１６】
第２の発明は、周期的に変動させる最大の流量は、略基準流量か、基準流量以上とすることを特徴とするもので、変化する流量の最大値が通常使用する流量の基準流量と同等かそれ以上であるので、通常使用時と同等の使用感が得られ、快適性の向上を図ることができる。
【００１７】
第３の発明は、基準流量を、出湯時から所定時間経過した後に設定することを特徴とするもので、そのときの使用者の好みの流量を基準流量として節水流量を決定するので、快適性の向上を図るとともに、事前に基準流量を設定しなくて良いので利便性の向上にもなる。
【００１８】
第４の発明は、節水流量を、所定の節水率と基準流量とから設定することを特徴とするもので、所定の節水率を基に流量を求めるので、確実に所定の節水を図ることができる。
【００１９】
第５の発明は、基準流量に対する節水流量の比率を節水率とし、前記節水率を複数選択できる構成としたことを特徴とするもので、異なる使用者のそれぞれの好みの流量や同一の使用者でもそのときの気分に応じた流量を選択できるので、快適性の向上を図ることができる。
【００２０】
第６の発明は、基準流量に対する節水流量の比率を節水率とし、前記節水率の小さい場合は大きい場合に比べて、流量の変化の振幅及び周波数が小さいことを特徴とするもので、流量変化の振幅と周期とを人の感じ方に合わせた組み合わせを設定できるので、より快適性の向上を図ることができる。
【００２１】
第７の発明は、流量変動の周波数を、１〜３Ｈｚとすることを特徴とするもので、人が流量変化を快適に感じる周波数としているので、より快適性の向上を図ることができる。
【００２２】
第８の発明は、節水率選択手段をリモコンに設けたことを特徴とするもので、異なる使用者のそれぞれの好みの流量や同一の使用者でも、そのときの気分に応じた流量を簡単に選択できるので、利便性や快適性の向上を図ることができる。
【００２３】
以下、本発明の実施の形態について、図面を参照しながら説明する。なお、この実施の形態によって本発明が限定されるものではない。
【００２４】
（実施の形態１）
図１は、本実施の形態における給湯機のシャワー装置の構成図である。図１において、本実施の形態のシャワー装置２１は、流量制御ユニット２２とシャワーヘッド４５とを配管接続することによって構成されている。また、シャワーヘッド４５と反対側は、給湯機の給湯熱源装置２０に接続されている。シャワーヘッド４５等の出湯部に接続された流量制御ユニット２２内の給湯管路４０には、水の流量を検出する流量検出手段４３と水の流量を調整する流量調整手段４４とを備えている。
【００２５】
さらに流量制御ユニット２２は、シャワー利用者の好みの流量や使用上限流量を設定する基準流量設定手段４６と、実際に使用する流量を設定する節水流量設定手段４７と、流量検出手段４３と、基準流量設定手段４６と、節水流量設定手段４７とからの信号で流量調整手段４４の動作を制御する制御手段２３とを備えている。
【００２６】
なお、流量調整手段４４としては、給湯機などで使用している流量制御弁（図示せず）などがある。この流量制御弁はステッピングモータで流量制御弁の弁体を駆動し水流路断面積を変化させることによって所定の流量に制御することができる。なお、給湯機では所定の温度にするために流量を調整することが多い。
【００２７】
以上のように構成されたシャワー装置について、以下にその動作、作用を説明する。
【００２８】
図１において、シャワーの使用者がシャワーを浴びる前に、基準流量設定手段４６でシャワー流量の使用上限流量または、通常シャワーで使用している好みの流量（基準流量）を設定し、さらに、節水流量設定手段４７で実際に使用する節水流量を設定する。
【００２９】
このとき、節水流量は前述基準流量より少ない流量に設定するものとする。たとえば、前述の基準流量を最大流量として、節水流量を基準流量に対する給湯比率（基準流量を１００％として給湯比率は１００％より小さい率とする）で設定するようにすれば良い。そ
して、シャワーの給湯回路を開くと、制御手段２３は流量検出手段４３からの信号でそのときの流量を計測する。
【００３０】
さらに、節水流量設定手段４７で設定した節水流量になるように、流量調整手段４４を調整する。そして、流量が節水流量になると、制御手段２３は節水流量を中心として周期的に流量を多少に変動させるために流量調整手段４４を制御する。すなわち、流量調整手段４４である流量制御弁の弁体を節水流量の位置を中心に開閉を繰り返すように制御する。
【００３１】
なお、基準流量設定手段４６としては、流量入力部（図示せず）とこの流量入力部で設定された値を表示する表示部（図示せず）を備えたものがある。このときシャワー利用者は基準流量を、表示部に表示される数値を見ながら、前記流量入力部（例えば、テンキー入力や増加減できるキー）を操作して設定する。
【００３２】
あるいは、周囲に数値（流量）表示があるダイヤルまたはスライド入力部（図示せず）を用いて基準流量を設定してもよい。さらに、節水流量設定手段４７としても上記で説明した入力部（図示せず）と表示部（図示せず）とを備えたものでもよいし、ダイヤルまたはスライド入力部を備えたものでも良い。
【００３３】
このとき節水流量設定手段４７で設定する対象としては、実際にシャワーで使用する節水流量（変化する流量の平均流量）であっても良いし、前述したように基準流量に対する比率（給湯比率）であっても良いし、基準流量より減少させたい流量の基準流量に対する比率（節水率）であっても良い。
【００３４】
また、基準流量設定手段４６で設定する基準流量と節水流量設定手段４７で設定する節水流量とは、シャワーを使用するたびに設置する必要はなく、最初に一度設定をし、その後、必要に応じて再設定すればよい。また、シャワー流量の好みは、人によって大きく異なる可能性がある。家族など使用する人が複数の場合は、例えば、基準流量設定手段４６で設定する基準流量を、複数の人の中で好み流量が最大の人の流量に合わすようにすれば、家族全員がシャワーの使用感を落とさずに使用することができる。
【００３５】
図２は横軸に経過時間をとり、縦軸にそのときのシャワー流量をとって、時間に対するシャワー流量の変化を示したものである。同図で、経過時間Ｔ１でシャワー給湯が開始され、経過時間Ｔ２で節水流量（同図のＲｓ）になったことが確定し、その後、シャワー流量を周期Ｔｓで変化させている。この時の周波数（Ｆｓ＝１／Ｔｓ）は後述するように約１〜３Ｈｚであり、基準流量をＲｋ、給湯比率をＹとした場合、振幅は、Ｒｋ×（１００−Ｙ）／１００となる。このようにすれば、流量変化の最大値が基準流量と同等になるので、使用者のシャワー感を損なうことが少ない。
【００３６】
図３はシャワー流量を変化させた場合のシャワーヘッド４５からの湯の出方を示したものである。従来例の場合と同様、同図の左図はシャワーヘッド１を穴が見える側から見た図である。湯が出る穴（たとえば４５ａ、４５ｂなど）が開けられている。同図の右図はシャワーヘッドから出た湯が体などに当たるまでの軌跡の一部と当たる場所を示したものである。
【００３７】
前述したように、流量調整手段４４である流量制御弁の弁体を節水流量の位置を中心に開閉を繰り返すとそれに対応してシャワーヘッド４５の内部の圧力が変化する。すなわち、前記弁体を流路面積が小さくなる方向に移動すると、シャワーヘッド４５の内部の圧力は低下する。逆に、前記弁体を流路面積が大きくなる方向に移動すると、シャワーヘッド４５の内部の圧力は増加する。ただし、前記弁体と圧力の変化とは時間遅れがある。この
圧力変動に応じてシャワーヘッドから出た湯の軌跡も変化する。
【００３８】
図３の点線は、シャワーヘッド４５の穴４５ａからで出た湯の軌跡を示したものであり、中央の点線を中心に上下の点線で示される範囲で変化する。そして、体に当たる部分は、同図のＡで示す略長方形になる。同様に、穴５ｂから出た湯の体に当たる部分は同図のＢで示す略長方形になる。その他の穴から出た湯についても同様になる。結局、従来例の場合に比べて、シャワーヘッドから出た湯が体に当たる面積が増加することになる。
【００３９】
このように、シャワー流量を変化させると、体に当たる面積が大きくので、通常使用している一定流のシャワーの場合と比較して、シャワー感をほぼ同等に維持し、さらに石鹸やシャンプーのすすぎ落としの性能も維持して、節水の効果が得られる。さらに、使用湯量が少なくなる分、沸き上げる湯量が減少するので省エネルギーの効果もある。
【００４０】
なお、経過時間に対するシャワー流量の変化を説明した図２では、流量の変化の最大値と基準流量とをほぼ同等の流量にしていたが、流量の変化の最大値を基準流量よりも大きくしても良い。この場合、最大流量付近のときにシャワーの強さが大きく感じられ、シャワー感も維持されるので、快適性が維持される。
【００４１】
図１ではシャワー利用者が基準流量設定手段４６によって基準流量を設定する構成としていたが以下に述べるように、シャワー使用者自身が設定せずに自動的に設定することもできる。図４において、図１と異なる点は、基準流量設定手段４６は流量検出手段４３からの信号で流量を検出し、それを基に基準流量を決定する。また、シャワー装置２１にリモコン９を設け、このリモコンの機能の一つとして、節水流量設定手段４７の機能を具備する構成としていることである。
【００４２】
以上のように構成されたシャワー装置について、以下にその動作、作用を説明する。図４において、シャワーの使用者がシャワーを浴びる前に、節水流量設定手段４７の機能を具備するリモコン９を操作して節水流量を設定する。節水流量としては直接流量を設定してもよいが、後述する基準流量に対して減少させる率（節水率）を設定しても良い。
【００４３】
ここでは節水率を設定するものとする。このとき、制御手段２３は、流量調整手段４４である流量制御弁の弁体を所定の位置に移動させる。所定の位置とは、後述するように、節水流量を中心に弁体を移動（回転）するために必要な回転代を設けるためであり、例えば、流量制御弁の弁体が全開のときの流量に対して約８０〜９０％程度になる位置に設定する。
【００４４】
そして、シャワーの給湯回路を開くと、制御手段２３は流量検出手段４３が検出した信号を用いてそのときの流量を計測する。そして、流量検出手段４３が検出を開始してから所定の時間ΔＴが経過した時点の流量を基準流量として決定する。この基準流量はすなわちシャワー使用者の好みの流量である。制御手段２３は、この決定された基準流量と先に設定された節水率とから節水流量を求める。節水率をＺ、基準流量をＲｋとすると、節水流量Ｒｓは、Ｒｓ＝Ｒｋ×（１−Ｚ／１００）となる。
【００４５】
そして、制御手段２３は、節水流量Ｒｓを中心として周期的に流量を変化させるために流量調整手段４４を制御する。すなわち、流量調整手段４４である流量制御弁の弁体を節水流量の位置を中心に開閉を繰り返すように制御する。
【００４６】
すなわち、節水流量Ｒｓを中心に周期的に、流量を変化させることで、通常使用する基準流量Ｒｋよりも少ない流量であっても、シャワーが当たる位置が周期的に変化するので、すすぎ性能や使用感を落とさず、シャワーを浴びることができるので節水効果があり、
節水になる分だけ湯を沸かす必要がなくエネルギー削減になるので、省エネルギーを図ることができる。
【００４７】
図５は横軸に経過時間をとり、縦軸にそのときのシャワー流量をとって、経過時間に対するシャワー流量の変化を示したものである。経過時間Ｔ１でシャワー給湯が開始され、経過時間Ｔ２以降でほぼ流量が一定になる。このほぼ一定流量になってから所定の時間ΔＴ経過後の流量を基準流量とする。この基準流量と前述の節水流量の値を用いて、制御手段２３は、シャワー流量を周期Ｔｓで変化させる。
【００４８】
この変化の周波数（＝１／Ｔｓ）は後述するように約１〜３Ｈｚであり、基準流量をＲｋ、給湯比率をＹとした場合、振幅は、Ｒｋ×Ｚ／１００となる。このようにすれば、流量変化の最大値は基準流量とほぼ同等になるので、使用者のシャワー感を損なうことが少ない。さらに、シャワーを使用する度に、そのシャワー使用者の通常使用する流量（基準流量）を測定してから、節水流量を中心に流量を変化させるので、家族など異なる複数の人が使用しても、または、同じ人でもその時の気分で使用したい流量が変わっても、それに応じた節水流量を設定するので、快適性向上になる。
【００４９】
上記説明では、所定の時間として、流量がほぼ一定流量になってからの時間ΔＴを所定の時間としたが、次のようにしても良い。シャワー給湯が開始されて、シャワーが出されたことを確定できる確定流量Ｒｘになってからの時間ΔＴｘを所定の時間としても良い。
【００５０】
リモコンの機能の一つとして、節水流量設定手段４７の機能を具備する構成としているが、具体的には、図１での説明と同様、節水率入力部（図示せず）とこの節水率入力部で設定された値を表示する表示部（図示せず）とを備えた構成がある。このときシャワー利用者は節水率を、表示部に表示される数値を見ながら、前記節水率入力部（例えば、テンキー入力や増加減できるキー）を操作して設定する。
【００５１】
あるいは、周囲に数値（節水率）表示があるダイヤルまたはスライド入力部（図示せず）を用いて節水率を設定してもよい。さらに、具体的に節水率を設定しなくても、予め設定された２つ以上の節水率の中から選択する構成にしても良い。例えば、節水率２０％を「大」、節水率１０％を「中」、節水率５％を「小」、節水なしを「切」として、前記リモコン９にスイッチを設ける構成である。このために４個のスイッチを設けても良いし、一つのスイッチで押すたびに上記設定内容が変わるようにしても良い。
【００５２】
このように、予め設定された複数の節水率の中から節水率を選択する方法は、簡単に好みの節水率を選べるので、利便性が向上する。また、「大」、「中」、「小」、「切」のどれを選択しているかがわかるように、リモコン９に表示部を設け、その選択状態を表示するとさらに利便性が向上する。なお、ＬＥＤなどの点灯する数で選択状態を表示しても良い。
【００５３】
さらに、リモコン９に表示部を設け、メニュー画面の中で選択できるようにしても良い。また、上記では「大」、「中」、「小」、「切」の４段階の選択であったが、これよりも多くても良いし、少なくても良い。
【００５４】
さらに、前記予め設定された２つ以上の節水率はシャワー装置２１で固定の値であっても良いし、リモコンを操作してシャワー使用者が自分自身に応じた節水率を変更できる構成としても良い。このようにすれば、よりシャワー使用者の好みのシャワー感が得られ、快適性の向上になる。
【００５５】
上述のように、節水流量を中心に流量を変化させるが、節水率の異なる条件の場合、次
のように流量変化の仕様を決定する。図６は、横軸に流量変化の振幅を取り、縦軸に流量変化の周波数を取って、そのときのシャワー感をあらわしたものである。例えば、振幅を同じにして周波数を大きくすると、シャワー感としては強く感じる。
【００５６】
また、周波数を同じにして振幅を大きくすると、強弱の変化を感じるようになる。特にこの強弱の変化に対しての感じ方は、人によってばらつきが大きい。だから、あまり振幅を大きくしすぎると不快に感じる人の割合が大きくなってしまう。同図に点Ａで示す節水率の大きい場合を基準に節水率の小さい場合の振幅と周波数とは次のように決定する。節水流量を中心に流量を変化させる場合、シャワー感を基準流量（好みの流量）と同等にするために、流量変化の最大値を基準流量と同等に設定する。
【００５７】
また、節水率は基準流量と節水流量との差に比例するため、節水率を小さくするためには、節水流量を大きくすることになるので、結果として流量変化の振幅は小さくなる。しかし、単に振幅を小さくしただけでは、節水率の大きい場合よりも節水流量が大きいので当然シャワー感は強くなる。図６に示すように強く感じる分だけ周波数を小さくして点Ｂの状態にすれば、節水率を小さくしても節水率が大きい場合と同等のシャワー感を得ることができる。
【００５８】
図７は、基準流量を固定して、振幅と周期（周波数の逆数）をパラメータとしてシャワー感を評価するために行った感応評価の結果である。振幅条件としては、０．５、１．０、１．５、２．０Ｌ／分の４通り、周期条件としては、０．４〜１．１秒まで０．１秒間隔で８通りである。主観評価として、「不快」、「やや不快」、「普通」、「やや快適」、「快適」で答えてもらい、それを点数に置き換えたものであり、３点が普通（基準流量と同等）であり、大きい点数ほど快適性が良いことを示している。
【００５９】
同図からわかるように、振幅が０．５Ｌ／分のとき、周期が１秒前後で大きな点数となっている。また、振幅が１．０Ｌ／分のとき、周期が０．５秒前後で大きな点数になっている。これを周波数に換算すると、約１〜３Ｈｚとなる。シャワーのように流量が１０Ｌ／分程度の場合、流量の変化周波数は約１〜３Ｈｚ程度が快適な周波数となる。
【００６０】
図８は節水率の大きい場合と小さい場合の経過時間に対する流量の変化を比較したものである。下の図が節水率の大きい場合、上の図が節水率の小さい場合である。例えば、基準流量１０Ｌ／分で、節水率が１０％と５％の場合、振幅はそれぞれ１Ｌ／分、０．５Ｌ／分で、周波数はそれぞれ２Ｈｚ（同図中Ｆａ）、１Ｈｚ（同図中Ｆｂ）程度である。
【００６１】
（実施の形態２）
図９は、本実施の形態におけるシャワー装置を備えた給湯機の構成図である。図９において、図４の実施の形態１と異なる点は、流量制御ユニット２２を、熱源部２９を備えた給湯機の給湯熱源装置２０の中に内蔵したことである。同図において、流量制御ユニット２２は熱源部２９の出口側に設けられている。
【００６２】
さらに、給湯熱源装置２０に接続された給水配管３１から供給された市水は、熱源部２９で加熱されて、前記給湯管路４０を通って、出湯部である給湯端末４２やシャワーヘッド４５に供給される。また、熱源部２９と浴槽５とは戻り接続管６１と往き接続管６２とで接続されている。
【００６３】
なお、図４で説明したリモコン９は給湯熱源装置２０のリモコンと共用するものとする。また、熱源部２９としては、ガスや石油の給湯機や貯湯式の電気温水器やヒートポンプ給湯機などがある。動作、作用、効果は図４と同様であるので説明は省略する。
【産業上の利用可能性】
【００６４】
以上のように、本発明にかかるシャワー装置は、使用者が使用したい流量に対して、所定の節水率になる節水流量を設定し、使用者が使用したい流量と体感的に同等の感覚で節水流量での節水シャワーを行うことが可能となるので、単独のシャワー装置としても、前記シャワー装置の機能を組み込んだ給湯機（給湯機）としても、節水手段としての利用が可能である。
【符号の説明】
【００６５】
２３  制御手段
２９  熱源部
４０  給湯管路
４３  流量検出手段
４４  流量調整手段
４６  基準流量設定手段
４７  節水流量設定手段
【図１】
2011202816.tif 000003
【図２】
2011202816.tif 000004
【図３】
2011202816.tif 000005
【図４】
2011202816.tif 000006
【図５】
2011202816.tif 000007
【図６】
2011202816.tif 000008
【図７】
2011202816.tif 000009
【図８】
2011202816.tif 000010
【図９】
2011202816.tif 000011
【図１０】
2011202816.tif 000012